(57)【要約】【課題】組み付け作業性を大きく悪化させることなく、カバー部の開放を抑制することが可能な計器装置を提供する。【解決手段】表示部材１，２と、透視カバー３と、支持部材５１，５２と、回路基板６と、背面カバー７とを備え、背面カバー７の一部にヒンジ部Ｈを通じて開閉可能に連続形成されるカバー部７１を設けてなる計器装置において、カバー部７１の回路基板６に対向する壁部に回路基板６の背面に当接する突出部７３を設け、支持部材５２に回路基板６を超えてカバー部７１側に突出し突出部７３に係合する係合片５３を設けた。【選択図】  図３
2010101774.tif 000002
【特許請求の範囲】
【請求項１】
表示部材と、
この表示部材を透視可能に覆う透視カバーと、
前記表示部材の背後に配置される支持部材と、
この支持部材の背後に配置され前記表示部材を作動させる回路基板と、
この回路基板の背後を覆う背面カバーとを備え、
前記背面カバーの一部にヒンジ部を通じて開閉可能に連続形成されるカバー部を設けてなる計器装置において、
前記カバー部の前記回路基板に対向する壁部に前記回路基板の背面に当接する突出部を設け、
前記支持部材に前記回路基板を超えて前記カバー部側に突出し前記突出部に係合する係合片を設けたことを特徴とする計器装置。
【請求項２】
前記カバー部の自由端側に閉塞状態において前記支持部材に係止される係止部を設けたことを特徴とする請求項１記載の計器装置。
【請求項３】
前記係合片が前記回路基板とは異なる色を有することを特徴とする請求項１記載の計器装置。
【発明の詳細な説明】
【技術分野】
【０００１】
本発明は、例えば車両に搭載される計器装置に関するものである。
【背景技術】
【０００２】
この種の計器装置として例えば下記特許文献１に記載されているものが知られている。この計器装置は、蛍光表示管からなる表示部材と、この表示部材を透視可能に覆う透視カバーと、表示部材を作動させる回路基板と、この回路基板の背後を覆う背面カバーとを備え、背面カバーの一部にヒンジ部を通じて開閉可能に連続形成されるカバー部を設けてなる。カバー部の自由端側には係止部が形成され、この係止部を所定部材に係止することにより、カバー部の閉塞状態が維持される構成である。
【特許文献１】実公平０３−００８９７９号公報
【発明の開示】
【発明が解決しようとする課題】
【０００３】
しかしながら上記公報に記載の計器装置にあっては、カバー部の自由端側に設けられた係止部を所定部材に係止することにより、カバー部の閉塞状態が維持される構成であるため、例えば車両の走行時に加わる振動によって係止状態が解除され、カバー部が開いてしまうことが懸念される。この点を勘案してカバー部をネジ止めすることが考えられるが、ネジ止めスペースが必要になることに加え、ネジ止め作業追加による組み付け作業性の悪化を招くといった問題がある。
【０００４】
本発明は前述した問題点に着目し、組み付け作業性を大きく悪化させることなく、カバー部の開放を抑制することが可能な計器装置を提供するものである。
【課題を解決するための手段】
【０００５】
本発明は、前述した課題を解決するため、表示部材と、この表示部材を透視可能に覆う透視カバーと、前記表示部材の背後に配置される支持部材と、この支持部材の背後に配置され前記表示部材を作動させる回路基板と、この回路基板の背後を覆う背面カバーとを備え、前記背面カバーの一部にヒンジ部を通じて開閉可能に連続形成されるカバー部を設けてなる計器装置において、前記カバー部の前記回路基板に対向する壁部に前記回路基板の背面に当接する突出部を設け、前記支持部材に前記回路基板を超えて前記カバー部側に突出し前記突出部に係合する係合片を設けたことを特徴とする。
これにより組み付け作業性を大きく悪化させることなく、カバー部の開放を抑制することができる。すなわち突出部を係合片に係合させる簡単な作業によりカバー部の開放を抑えることができる。
【０００６】
また本発明は、前記カバー部の自由端側に閉塞状態において前記支持部材に係止される係止部を設けたことを特徴とする。
これにより、突出部と係合片との係合に加え、係止部によってもカバー部を保持できるため、確実な保持が可能となる。
【０００７】
また本発明は、前記係合片が前記回路基板とは異なる色を有することを特徴とする。
これにより、係合片が目立ちやすくなるため、突出部を係合片に係合させる際の作業性を良好にできる。
【発明の効果】
【０００８】
本発明によれば、初期の目的を達成することができ、組み付け作業性を大きく悪化させることなく、カバー部の開放を抑制することが可能な計器装置を提供することができる。
【発明を実施するための最良の形態】
【０００９】
以下、本発明の実施の形態について添付図面を用いて説明する。
【００１０】
図１から図３は、本発明による計器装置の一実施形態を示すもので、図１は本実施形態による計器装置の正面図、図２は本実施形態による計器装置の背面側を示す斜視図、図３は図２のＡ−Ａ断面図である。
【００１１】
図１〜図３において、本実施形態による計器装置は、表示部材１，２と、この表示部材１，２を透視可能に覆う透視カバー３と、この透視カバー３を支持する見返し部材４と、表示部材１，２の背後に配置される支持部材５と、この支持部材５の背後に配置され表示部材１，２を作動させる回路基板６と、この回路基板６の背後を覆う背面カバー７とを備えている。
【００１２】
表示部材１は、指針１１と文字板１２とで各種計測量を表示する指針式計器からなり、また表示部材２は、走行距離等の情報を表示する液晶表示パネルからなる。
【００１３】
透視カバー３は、例えば透明な合成樹脂からなる。
【００１４】
見返し部材４は、例えば遮光性を有する黒色の合成樹脂からなり、表示部材１，２の所要領域を覆っている。
【００１５】
支持部材５は、例えば遮光性を有する乳白色の合成樹脂からなり、文字板１２を背後から支持する第１の支持部材５１と、同じく遮光性を有する乳白色の合成樹脂からなり、表示部材２を背後から支持する第２の支持部材５２とからなる。
【００１６】
第１の支持部材５１は、計器装置のフレームとなるもので、文字板１２や指針１１を照明する照明室としても機能する。
【００１７】
第２の支持部材５２は、第２の表示部材２を照明する照明室を構成するもので、図示しない結合手段（例えば弾性フック結合）により第１の支持部材５１と連結されている。
【００１８】
回路基板６は、周知な硬質回路基板が適用され、基板面の色は例えば緑色に設定されている。この回路基板６の前面側には第１，第２の表示部材１，２を照明する例えば発光ダイオードからなる光源Ｌが実装され、その背面側には指針１１を回転動作させるためのステッピングモータＭが実装されている。
【００１９】
背面カバー７は、例えば適宜合成樹脂から形成され、その一部には、開閉自在なカバー部７１が形成されている。
【００２０】
このカバー部７１は、薄肉に形成されたヒンジ部Ｈを基準として開閉可能に背面カバー７本体と連続形成されており、例えば背面カバー７を組み付けた後であっても、回路基板６の背面側におけるコネクタＣと可撓性回路基板Ｆとの接続が可能となるように設けられており、カバー部７１を開けた状態（図３中、点線にて示すカバー部７１参照）でコネクタＣと可撓性回路基板Ｆとの接続を行い、接続終了後はカバー部７１を閉塞する（図３中、実線にて示すカバー部７１参照）ことで、コネクタＣと可撓性回路基板Ｆとを含む回路基板６の背面側を保護できる構成である。
【００２１】
またこのカバー７１の自由端側、すなわちヒンジ部Ｈとは反対側には、凸部からなる係止部７２が形成され、この係止部７２を第１の支持部材５１の側壁部に形成した係止片５１１に係止することで、閉塞状態を維持できるようになっている。
【００２２】
ここで、カバー部７１と第２の支持部材５２との関係に注目すると、カバー部７１の回路基板６に対向する壁部には、回路基板の背面に当接する突出部７３が形成され、第２の支持部材５２には、突出部７３に係合する係合片５３が形成されている。
【００２３】
突出部７３は、断面逆凹形状となる円筒状の窪み部からなり、その底壁部は回路基板６の背面と当接すると共に係合片５３に対応する貫通孔７４が形成されている。
【００２４】
係合片５３は、回路基板６を超えてカバー部７１側に突出する弾性爪片からなり、その先端には、貫通孔７４の背面側に係合する爪部５４が形成されている。
【００２５】
突出部７３を係合片５３に係合する際は、回路基板６の背面から突出する係合片５３に貫通孔７４を通じて突出部７３を挿通させ、爪部５４を貫通孔７４の背面側に係合する。
【００２６】
このように突出部７３を係合片５３に係合することにより、突出部７３を回路基板６に当接させた状態で、カバー部７１の開放方向への移動を規制できるようになっている。
【００２７】
以上のように本実施形態では、表示部材１，２と、この表示部材１，２を透視可能に覆う透視カバー３と、表示部材１，２の背後に配置される支持部材５１，５２と、この支持部材５１，５２の背後に配置され表示部材１，２を作動させる回路基板６と、この回路基板６の背後を覆う背面カバー７とを備え、背面カバー７の一部にヒンジ部Ｈを通じて開閉可能に連続形成されるカバー部７１を設けてなる計器装置において、カバー部７１の回路基板６に対向する壁部に回路基板６の背面に当接する突出部７３を設け、支持部材５２に回路基板６を超えてカバー部７１側に突出し突出部７３に係合する係合片５３を設けたことにより、突出部７３を係合片５３に係合させる簡単な作業によりカバー部７１の開放を抑えることができ、これにより組み付け作業性を大きく悪化させることなく、またネジ止めと比較すると省スペースでカバー部の開放抑制構造を大型化することなく、カバー部７１の開放を抑制することができる。
【００２８】
また本実施形態では、カバー部７１の自由端側に閉塞状態において支持部材５１に係止される係止部７２を設けたことにより、突出部７１と係合片５３との係合に加え、係止部７２によってもカバー部７１を保持できるため、確実な保持が可能となる。
【００２９】
また本実施形態では、係合片５３が回路基板６とは異なる色を有することにより、係合片が目立ちやすくなるため、突出部を係合片に係合させる際の作業性を良好にできる。
【００３０】
なお本実施形態では、表示部材１，２として指針式計器と液晶表示パネルを例示したが、任意の表示部材を適用することができる。
【００３１】
また本実施形態では、第２の支持部材５２に係合片５３を形成したが、第１の支持部材５１に形成してもよい。
【図面の簡単な説明】
【００３２】
【図１】本発明による計器装置の一実施形態を示す正面図。
【図２】同実施形態による計器装置の背面側を示す斜視図。
【図３】図２のＡ−Ａ断面図。
【符号の説明】
【００３３】
１，２  表示部材
３  透視カバー
４    見返し部材
５    支持部材
６    回路基板
７    背面カバー
１１  指針
１２  文字板
５１  第１の支持部材
５２  第２の支持部材
５３  係合片
５４  爪部
７１  カバー部
７２  係止部
７３  突出部
７４  貫通孔
５１１  係止片
Ｃ  コネクタ
Ｆ  可撓性回路基板
Ｈ  ヒンジ部
Ｌ  光源
Ｍ  ステッピングモータ
【図１】
2010101774.tif 000003
【図２】
2010101774.tif 000004
【図３】
2010101774.tif 000005